(57)【要約】  衣類のような外側シェル及びその間に位置決めされる吸収性組立体を有する吸収性衣類が示されている。特定の実施形態においては、吸収性組立体の外カバーは、衣類シェルの内側で比較的低い摩擦係数を有する。一実施形態においては、衣類シェルは、衣類シェルと吸収性組立体の外カバーとの間の摩擦係数が、衣類シェルの外側と近接する材料との間の摩擦係数より少なくとも１５パーセント小さいように形成することができる。近接する材料は、例えば、標準ベッドシート材料を含むことができる。上記したように、材料の摩擦特性を注意深く制御することにより、衣類の凝集及び捻れに関連する問題点を最小にする。【選択図】図１
2008538976.tif 000002
【特許請求の範囲】
【請求項１】
腰部開口及び着用者の脚部を受け入れるための少なくとも１つの両側脚部開口を有し、内側及び外側を含み、前記内側に向く第一側面及び前記外側に向く第二側面を有する衣類シェルと、
前記衣類シェルの前記内側に配置され、吸収性部材を囲む外カバーを含む吸収性組立体と、
を含む吸収性衣類であって、
前記衣類シェルの前記第一側面と前記吸収性組立体の前記外カバーとの間の静摩擦係数は、前記衣類シェルの前記第二側面と標準綿／ポリエステルシート材料との間の静摩擦係数より少なくとも約１５％小さく、前記衣類シェルの前記第一側面と前記吸収性組立体の前記外カバーとの間の動摩擦係数は、前記衣類シェルの前記第二側面と標準綿／ポリエステルシート材料との間の動摩擦係数より少なくとも約１５％小さいことを特徴とする吸収性衣類。
【請求項２】
前記衣類シェルの前記第一側面と前記吸収性組立体の前記外カバーとの間の静摩擦係数は、前記衣類シェルの前記第二側面と標準綿／ポリエステルシート材料との間の静摩擦係数より少なくとも約２０％小さく、前記衣類シェルの前記第一側面と前記吸収性組立体の前記外カバーとの間の動摩擦係数は、前記衣類シェルの前記第二側面と標準綿／ポリエステルシート材料との間の動摩擦係数より少なくとも約２０％小さいことを特徴とする請求項１に記載の吸収性衣類。
【請求項３】
前記衣類シェルの前記第一側面と前記吸収性組立体の前記外カバーとの間の静摩擦係数は、前記衣類シェルの前記第二側面と標準綿／ポリエステルシート材料との間の静摩擦係数より少なくとも約２５％小さく、前記衣類シェルの前記第一側面と前記吸収性組立体の前記外カバーとの間の動摩擦係数は、前記衣類シェルの前記第二側面と標準綿／ポリエステルシート材料との間の動摩擦係数より少なくとも約２５％小さいことを特徴とする請求項１に記載の吸収性衣類。
【請求項４】
前記衣類シェルの前記第一側面と前記外カバーとの間の静摩擦係数は、約０．３から約０．７であり、前記衣類シェルの前記第一側面と前記外カバーとの間の動摩擦係数は、約０．２から約０．６であり、前記衣類シェルの前記第二側面と標準綿／ポリエステルシート材料との間の静摩擦係数は、約０．５から約０．９であり、前記外側シェルの前記第二側面と標準綿／ポリエステルシート材料との間の動摩擦係数は、約０．４から約０．８であることを特徴とする請求項１、請求項２又は請求項３に記載の吸収性衣類。
【請求項５】
前記衣類シェルの前記第一側面と前記外カバーとの間の静摩擦係数は、約０．３から約０．４であり、前記衣類シェルの前記第一側面と前記外カバーとの間の動摩擦係数は、約０．２から約０．４であり、前記衣類シェルの前記第二側面と標準綿／ポリエステルシート材料との間の静摩擦係数は、約０．６から約０．７であり、前記外側シェルの前記第二側面と標準綿／ポリエステルシート材料との間の動摩擦係数は、約０．４から約０．６であることを特徴とする請求項１、請求項２又は請求項３に記載の吸収性衣類。
【請求項６】
前記衣類シェルは、２つの両側脚部開口を囲む２つの脚部延長部を含むことを特徴とする請求項１から請求項５までのいずれか１項に記載の吸収性衣類。
【請求項７】
前記衣類シェルは、前記腰部開口を囲む腰部領域を含み、前記吸収性組立体は、前記衣類シェルの前記腰部領域に結合した前端部部分及び後端部部分を含むことを特徴とする請求項１から請求項６までのいずれか１項に記載の吸収性衣類。
【請求項８】
前記吸収性組立体の前記外カバーは、スパンボンドウエブ、メルトブローンウエブ、フィルム、又はこれらの混合物を含むことを特徴とする請求項１から請求項７までのいずれか１項に記載の吸収性衣類。
【請求項９】
前記衣類シェルは、スパンボンドウエブを含むことを特徴とする請求項１から請求項８までのいずれか１項に記載の吸収性衣類。
【請求項１０】
前記衣類シェルは、スパンボンド／メルトブローン／スパンボンド積層体又はスパンボンド／メルトブローン積層体を含むことを特徴とする請求項１から請求項９までのいずれか１項に記載の吸収性衣類。
【請求項１１】
前記衣類シェルは、互いに接着した積層体の２つの層を含むことを特徴とする請求項１０に記載の吸収性衣類。
【請求項１２】
前記衣類シェルの前記第一側面と前記外カバーとの間の静摩擦係数は、約０．３５より小さく、前記衣類シェルの前記第一側面と前記外カバーとの間の動摩擦係数は、約０．３より小さく、前記衣類シェルの前記第二側面と標準綿／ポリエステルシート材料との間の静摩擦係数は、約０．６から約０．７であり、前記外側シェルの前記第二側面と標準綿／ポリエステルシート材料との間の動摩擦係数は、約０．４から約０．６であることを特徴とする請求項１から請求項３又は請求項６から請求項１１に記載の吸収性衣類。
【請求項１３】
腰部開口及び該開口部の反対側にあり着用者の脚部を受け入れるための少なくとも１つの脚部開口を有し、内側及び外側を含み、前記内側に向く第一側面及び前記外側に向く第二側面を有する衣類シェルと、
前記衣類シェルの前記内側に配置され、吸収性部材を囲む外カバーを含む吸収性組立体と、
を含む吸収性衣類であって、
前記吸収性組立体の前記外カバー及び前記衣類シェルの前記第一側面は、これらの間に約０．３から約０．７、例えば約０．３から約０．４の静摩擦係数を有し、かつ、これらの間に約０．２から約０．６、例えば約０．２から約０．４の動摩擦係数を有することを特徴とする吸収性衣類。
【請求項１４】
前記衣類シェルは、２つの両側の脚部開口を囲む２つの脚部延長部を含み、前記吸収性組立体は、内側ライナーを更に含み、前記吸収性部材は、前記外カバー及び前記内側ライナーとの間に位置決めされることを特徴とする請求項１３に記載の吸収性衣類。
【請求項１５】
前記衣類シェルは、前記腰部開口を囲む腰部領域を含み、前記吸収性組立体は、前記衣類シェルの前記腰部領域に結合した前端部部分及び後端部部分を含むことを特徴とする請求項１３又は請求項１４に記載の吸収性衣類。
【請求項１６】
前記吸収性組立体の前記外カバーは、スパンボンドウエブ、メルトブローンウエブ、フィルム、又はこれらの混合物を含むことを特徴とする請求項１３、請求項１４、又は請求項１５に記載の吸収性衣類。
【請求項１７】
前記衣類シェルは、スパンボンドウエブを含むことを特徴とする請求項１３、請求項１４、請求項１５又は請求項１６に記載の吸収性衣類。
【請求項１８】
前記衣類シェルは、スパンボンド／メルトブローン／スパンボンド積層体又はスパンボンド／メルトブローン積層体を含むことを特徴とする請求項１７に記載の吸収性衣類。
【請求項１９】
前記衣類シェルは、互いが接着した積層体の２つの層を含むことを特徴とする請求項１８に記載の吸収性衣類。
【請求項２０】
前記外側シェルの前記第二側面は、標準綿／ポリエステルシート材料に対してテストされた時、約０．５から約０．９の静摩擦係数及び約０．４から約０．８の動摩擦係数を有することを特徴とする請求項１３から請求項１８又は請求項１９に記載の吸収性衣類。
【発明の詳細な説明】
【技術分野】
【０００１】
個人用着用衣類及び他の物品は、これらに制限されるものではないが、オムツ、子供用トイレ訓練用パンツ、使い棄て若年用パンツ、大人用失禁用衣類、衛生ナプキン及び同様のもの、並びに外科用包帯及びスポンジを含む個人用ケア−製品として、広く使用されている。これらの物品の主な目的は、着用者から放出された身体排出物を取り入れて、保持し、これにより着用者又は介護人の衣服を汚さないようにすることである。ある吸収性物品は、限定された期間の使用の後廃棄される、すなわち、物品は、再使用のために洗濯又は保存されるものではないという点で、使い棄てに適したものである。
【０００２】
最近では、パンツが通常の衣類のように、更に特定的には通常の下着のように見えるようにさせる図形又は他の特性を付与することなどにより、子供用訓練用パンツ及び大人用失禁用衣類が更に魅力的に見えるような吸収性物品を形成するために、様々な試みが成されてきた。訓練用パンツは、子供にとって、オムツの使用と布製下着の使用との間の中間段階を表わすものである。訓練用パンツを、兄又は親が着用する下着又は他の衣類に極めて似せて形成することにより、トイレ訓練をしようとする子供達が、訓練用パンツを着用することに従順になるであろうと考えられる。別の例においては、ある子供達は、おもらしに対処するための夜間用使い棄て吸収性パンツの使用が必要である。これらの吸収性パンツが必要な子供達は、一般的には、着用するパンツができるだけ目立たないものであることを望む。通常の衣服に似た吸収性衣類を着用することは、このような子供達にとって大きな利点となる。
【０００３】
このことに関しては、外側シェル衣類に取り付けられた又は外側シェル衣類と一体の吸収性組立体を含むボクサー型又はスカート型衣類が提案されてきた。吸収性組立体は、身体排出物を取り入れるか又は吸収するように設計されている。しかしながら、外側シェル衣類は、衣類に通常の衣類の外観を与えて、吸収性組立体を似せるものである。
【０００４】
幾つかの用途においては、外側シェルは、吸収性組立体に緩く被さり、吸収性組立体から垂れ下がるようになる。不幸なことに、外側シェルの緩く被さる性質は、衣類の捻れ及び凝集の可能性を与え、これは不快なだけでなく吸収性組立体の位置ずれをもたらすこととなる。捻り及び凝集に関連する問題は、特に、衣類を寝る時に着用する場合に一般的である。特に、衣類とベッドシートの間の相互作用は、上記したような捻り及び凝集をもたらすこととなる。このように、現在では、製品が着用されている間、凝集及び捻りを最小にするボクサー型又はスカート型吸収性衣類の必要性がある。
【０００５】
【特許文献１】米国特許第３，８４９，２４１号公報
【特許文献２】米国特許第４，３４０，５６３号公報
【特許文献３】米国特許第３，６９２，６１８号公報
【特許文献４】米国特許第３，８０２，８１７号公報
【特許文献５】米国特許第３，３３８，９９２号公報
【特許文献６】米国特許第３，３４１，３９４号公報
【特許文献７】米国特許第３，５０２，７６３号公報
【特許文献８】米国特許第３，５０２，５３８号公報
【特許文献９】米国特許第３，５４２，６１５号公報
【特許文献１０】ＰＣＴ特許出願ＷＯ００／３７００９
【特許文献１１】米国特許第４，９４０，４６４号公報
【特許文献１２】米国特許第５，７６６，３８９号公報
【特許文献１３】米国特許第４，７０４，１１６号公報
【特許文献１４】米国特許第５，４８６，１６６号公報
【特許文献１５】米国特許第５，４９０，８４６号公報
【特許文献１６】米国特許第５，３６４，３８２号公報
【特許文献１７】米国特許第５，２２４，４０５号公報
【特許文献１８】米国特許第５，１０４，１１６号公報
【特許文献１９】米国特許第５，０４６，２７２号公報
【特許文献２０】米国特許第４，６６３，２２０号公報
【特許文献２１】米国特許第５，２２６，９９２号公報
【特許文献２２】欧州特許出願番号ＥＰ０２１７０３２
【特許文献２３】ＰＣＴ出願ＷＯ０１／８８２４５
【特許文献２４】米国特許第６，１７７，６０７号公報
【発明の開示】
【発明が解決しようとする課題】
【０００６】
一般的には、本発明は、ボクサー型又はスカート型吸収性衣類に向けられる。吸収性衣類は、緩く被さる外側シェルに囲まれた吸収性組立体を含む。例えば、外側シェルは、２つの脚部開口を有し、かつ１対のボクサー型ショーツの外観を有するものとすることができる。代替的には、外側シェルは、両足を受け入れるために単一の開口だけを含むものとして、スカートのように見えるようにすることができる。衣類全体が、一回の使用の後使い棄てるように形成されるか、又は代替的には再使用可能である外側シェルを有するものとして、吸収性組立体だけが使い棄てられるようにする。本発明によると、緩く被さる外側シェルと吸収性組立体の外側表面との間の摩擦係数が、捻り及び凝集を避けるために制御される。他の実施形態においては、外側シェルは、捻り及び凝集を妨げる通常の寝具類材料に対して設置される時は、摩擦係数を有するように形成される。
【０００７】
１つの特定の実施形態においては、例えば、本発明は、腰部開口及び、着用者の脚部を受け入れるための少なくとも１つの対向する脚部開口を有する衣類シェルを含む吸収性衣類に向けられる。衣類シェルは、内側及び外側を含み、内側に面する第一側面及び外側に面する第二側面を有する。
【０００８】
吸収性組立体は、衣類シェルの内側上に位置される。吸収性組立体は、衣類シェルのかなりの部分が吸収性組立体に対して自由に移動することが可能な方法で、衣類シェルに取り付けられる。吸収性組立体は、吸収性部材を囲む外カバーを含む。例えば、一実施形態においては、吸収性組立体は、外カバーと液体透過性ライナーの間に位置される吸収性部材を含む。
【０００９】
捻り及び凝集を妨げるために、吸収性組立体の外カバー及び衣類シェルの第一側面は、それらの間に約０．３から約０．７、約０．３から約０．４などの約０．７より小さい静摩擦係数を有することができ、更にそれらの間に約０．２から０．６、約０．２から約０．４などの約０．６より小さい動摩擦係数を有するものとすることができる。
【００１０】
上記したように、幾つかの実施形態においては、外側シェルが、吸収性組立体の外カバーに対して特定の静摩擦係数を有するような材料を選択することに加えて、外側シェルが、標準シート材料などの標準的寝具材料に対して、特定の摩擦係数を有するようにすることも重要である。一般的には、吸収性組立体の外カバーと衣類シェルの第一側面との間の摩擦係数は、衣類シェルの第二側面と標準シート材料との間の摩擦係数より全体的に小さいものとするべきである。例えば、一実施形態においては、衣類シェルの第二側面は、標準綿／ポリエステルシート材料に対してテストされた時、約０．５から約０．９、例えば約０．３５から約０．４５の静摩擦係数を有するものとして形成することができる。衣類シェルの第二側面は、同様に標準綿／ポリエステルシート材料に対してテストされた時、約０．４から約０．８、例えば約０．４から約０．６の動摩擦係数を有するものとすることができる。
【００１１】
吸収性組立体が、衣類シェルの内側に位置決めされる方法は、変えることができ、一般的には本発明にとって重要ではない。例えば、吸収性組立体は、衣類シェルに取り外し可能に固定されるか、又は衣類シェルに永久的に付着させることができる。例えば、一実施形態においては、吸収性組立体は、前端部部分及び後端部部分を含む。前端部部分及び後端部部分は、衣類シェルの腰部領域で結合することができる。特に、前端部部分及び後端部部分は、あらゆる適当な熱接着又は接着剤接着を使用して、衣類シェルの腰部領域に結合することができるか、又はフック・ループ型締結具を使用して取り付けることができる。
【００１２】
吸収性組立体及び衣類シェルを形成するために使用される材料は、特定の用途に応じて広く種同じ異ならせることができる。例えば、吸収性組立体の外カバーは、スパンボンドウエブ、メルトブローンウエブ、フィルム又はこれらの混合物などのあらゆる適当な使い棄て材料を含むことができる。
【００１３】
一方で、衣類シェルは、使い棄て又は再使用可能のいずれかである、あらゆる適当な材料を含むことができる。例えば、再使用可能な場合は、衣類シェルは、織成布を含むことができる。しかしながら他の用途においては、衣類シェルは、一度の使用の後、使い棄てるように形成することができる。この実施形態においては、外側シェルは、スパンボンドウエブ又はスパンボンドウエブを含む積層体だけを含むことができる。積層体は、例えば、スパンボンド／メルトブローン／スパンボンド積層体又はスパンボンド／メルトブローン積層体とすることができる。１つの特定の実施形態においては、衣類シェルは、上記したように互いに接着された積層体の２つの層を含む。２つの積層体層は、表面全体にわたって互いが接着するか、又は互いが点接着することができる。
【００１４】
上記したように、多くの実施形態においては、吸収性組立体と衣類シェルとの間の摩擦係数は、衣類シェルと標準シート材料との間の摩擦係数より小さいものとすることができる。例えば、一実施形態においては、衣類シェルの第一側面と吸収性組立体の外カバーとの間の静摩擦係数は、衣類シェルの第二側面と標準綿／ポリエステルシート材料との間の静摩擦係数より少なくとも約１５％、例えば少なくとも約２０％、更に一実施形態においては、少なくとも約２５％だけ小さいものとすることができる。同様に、衣類シェルの第一側面と吸収性組立体の外カバーとの間の動摩擦係数は、衣類シェルの第二側面と標準綿／ポリエステルシート材料との間の動摩擦係数より少なくとも約１５％、例えば少なくとも約２０％、更に一実施形態においては少なくとも約２５％小さい。
【００１５】
本発明の他の特性及び態様は、以下に詳細に述べられる。
【００１６】
対応する参照番号は、図面全体にわたって対応する部分を示す。
【発明を実施するための最良の形態】
【００１７】
（定義）
本明細書の内容においては、以下の各々の用語及び言い回しは、次のような意味を含む。
【００１８】
「摩擦係数」は、ＴＭＩ滑り及びニューヨーク州ＩｓｌａｎｄａのＴｅｓｔｉｎｇ  Ｍａｃｈｉｎｅｓ，Ｉｎｃ．より入手可能な摩擦テスターを使用して、テスト手段ＳＴＭ４５０２に従って実施されたテストにおける摩擦係数を意味する。サンプルは、テストする前に最低４時間は２３℃±１℃及び相対湿度５０±２％の条件下で調整された。特定のテストパラメーターは、次のようであった。
遅れ−３秒
スレッド−２００グラム、６．３５ｘ６．３５ｃｍ
静止期間−１０，０００ｍｓ
静止速度−１５．２５ｃｍ／分
運動速度−１５．２５ｃｍ／分
運動長さ−１５ｃｍ
【００１９】
「縦方向」及び「横方向」又は「横向きの」は、図４に示した縦方向軸及び横方向軸により示される、慣用的意味を持つ。縦方向軸は、物品の平面上にあり、物品が着用された時、立っている着用者の身体を左右半分に二分する垂直平面にほぼ平行である。横方向軸又は横向き軸は、縦方向軸にほぼ垂直な物品の平面上にある。
【００２０】
「メルトブローン」は、複数の微細な、通常は円形のダイ毛管を通して、溶融状態の熱可塑性材料を、集中した高速で、加熱された気体（例えば空気）中に溶融状態の糸又はフィラメントとして押し出し、この気体がフィラメントまたは溶融状態熱可塑性材料を細くして、その直径を減少させることにより形成された繊維を意味する。その後、メルトブローン繊維は高速気体流により運ばれて、集積表面に堆積され、ランダムに分散されたメルトブローン繊維のウエブを形成する。このような方法は、例えば、Ｂｕｔｉｎ他の米国特許第３，８４９，２４１号に記載されている。メルトブローン繊維は、連続又は非連続のものとすることができ、概して約０．６デニールより小さく、集積表面に堆積される時、一般的に自己接着する。本発明に使用されるメルトブローン繊維は、実質的には、長さ方向に連続のものとすることが好ましい。
【００２１】
材料、ウエブ又は布に関して使用される「不織」は、個々の繊維又は糸が組み合わされているが、編み布のように規則的な識別可能な形ではない構造を持つ材料、ウエブ又は布を意味する。不織材料、布又はウエブは、例えば、メルトブロー法、スパンボンド法、空気堆積法、及びボンデッドカーデッドウエブ法などの多くの方法から形成されてきた。不織成物の基本重量は、通常、平方ヤード当たりの材料オンス（ｏｓｙ）又は平方メートルあたりの材料グラム（ｇｓｍ）出表わされ、更に繊維直径は、通常ミクロンであらわされる（ｏｓｙからｇｓｍに換算するには、ｏｓｙに３３．９１を掛ける。）
【００２２】
「スパンボンドされた繊維」又は「スパンボンド繊維」は、押し出されるフィラメントの直径を持つ、複数の微細な、円形又は他の形態を有する紡糸口金の毛管からフィラメントとして溶融熱可塑性材料を押し出し、次いで急激に大きさを減少させることにより形成される、小直径の繊維を意味し、例えば、Ａｐｐｅｌ他の米国特許第４，３４０，５６３号、Ｄｏｒｓｃｈｎｅｒ他の米国特許第３，６９２，６１８号、Ｍａｔｓｕｋｉ他の米国特許第３，８０２，８１７号、Ｋｉｎｎｅｙの米国特許第３，３３８，９９２号及び第３，３４１，３９４号、Ｈａｒｔｍａｎの米国特許第３，５０２，７６３号、Ｐｅｔｅｒｓｅｎの米国特許第３，５０２，５３８号、及びＤｏｂｏ他の米国特許第３，５４２，６１５号に記載されており、各々の特許の全体は、本特許と一貫性がある範囲で引用により組み入れられる。スパンボンド繊維は冷却され、集積された表面上に堆積した時、概して粘着性がない。スパンボンド繊維は、一般的には連続しており、７ミクロンより大きい、より特定的には約１０ミクロンないし３０ミクロンの平均直径を有する。スパンボンド材料、層、又は基体は、スパンボンドされた（又はスパンボンド）繊維を含む。
【００２３】
「標準綿／ポリエステルシート材料」は、綿を５０％とポリエステルを５０％含む、１８０番手の糸の柔軟パーケールベッドシートを意味する。このようなベッドシートは、多くの商業的供給源から入手可能である。
【００２４】
「延伸接着した」は、弾性部材が、弛緩した状態の長さの少なくとも約２５パーセントだけ延伸された状態で、別の部材に接着されている弾性部材を意味する。より適当なものとしては、「延伸接着した」という用語は、他の部材と接着した時に、弾性部材が、その弛緩した状態の長さの少なくとも約１００パーセント、更により適当なものとしては少なくとも約３００パーセントだけ延びるような状況を意味する。
【００２５】
「延伸接着した積層体」は、１つがギャザー寄せ可能な層で、もう一方が弾性層である少なくとも２つの層を有する複合材料を意味する。これらの層は、弾性層が延びた状態の時に互いが結合され、層が弛緩した時にギャザー寄せ可能な層がギャザー寄せされる。
【００２６】
これらの用語は、本発明の残りの部分において、付加的言語で定められることがある。
【００２７】
本内容は、例示的実施形態のみの説明であり、本発明の広い態様を制限する意図はないことを、当業者は理解すべきである。
【００２８】
概して、本発明は、着用者から放出された身体排出物を容易に吸収するが、従来の衣服のような外観を有するように形成された吸収性衣類に向けられる。特に、吸収性衣類は、着用者の股部に近接して位置決めされる内側吸収性組立体上から垂れ下がる、ボクサー型又はスカート型の外側シェルを有する。
【００２９】
本発明によると、衣類の捻り及び凝集を妨げ及び／又は外側シェルと内側吸収性組立体との間のあらゆる他の望ましくない相互作用を妨げるために、外側シェルと吸収性組立体との間の摩擦係数が、定められた制限内で注意深く制御される。例えば、一実施形態においては、吸収性組立体の外側表面及び衣類シェルは、約０．３ないし約０．７、約０．３から約０．４といった約０．７より小さい静摩擦係数を有する。吸収性組立体の外側表面と衣類シェルとの間の動摩擦係数は、約０．２から約０．６、約０．２から約０．４などの約０．６より小さいものとすることができる。
【００３０】
衣類シェルと吸収性組立体との間が比較的低い摩擦係数であることに加えて、衣類シェルは、該衣類シェルと、衣類が夜間に着用される場合の寝具材料などの衣類と接触するようになる材料との間に、ある程度の比較的低い摩擦係数を有するべきである。衣類の捻り及び凝集を妨げるために、吸収性組立体と衣類シェルとの間の摩擦係数は、衣類シェルとベッドシートなどの近接する材料との間の摩擦係数より、概して小さいものとするべきである。衣類シェルと近接する材料との間の摩擦係数が、衣類シェルと吸収性組立体との間の摩擦係数より大きい値を持つことにより、この形態においては、衣類シェルは、吸収性組立体に対して自由に移動し、衣類の凝集及び捻りに関する問題点を妨げることができることを、本発明者らは見出した。
【００３１】
一実施形態においては、例えば、衣類シェルと標準ベッドシートとの間の静摩擦係数は、約０．５から約０．９、例えば約０．６から約０．７とすることができる。上記した２つの材料間の動摩擦係数は、約０．４から約０．８、例えば約０．４から約０．６とすることができる。
【００３２】
衣類シェルに対してテストされるシート材料は、種々異ならせることができる。一実施形態においては、衣類シェルは、標準の１８０番手糸の綿／ポリエステルシートに対してテストされる。シートは、例えば、５０％の綿及び５０％のポリエステルを含むことができる。しかしながら、他の実施形態においては、衣類シェルは、１００％の綿ジャージー編みシート又は１００％綿の重量のあるフランネルシートに対してテストすることができる。上記した３つの材料は、小さな子供達によって使用される寝具材料のほとんどを占めるものである。
【００３３】
上記したように、衣類シェルと吸収性組立体との間の静止又は動摩擦係数は、一実施形態においては、外側シェルとベッドシートなどの近接する材料との間の静止及び動摩擦係数より小さいものとすることができる。様々な実施形態においては、例えば、衣類シェルと吸収性組立体との間の摩擦係数は、衣類シェルと近接する材料との間の摩擦係数より少なくとも約１５％、例えば少なくとも２０％、更に一実施形態においては、少なくとも約２５％だけ小さいものとすることができる。
【００３４】
本発明により形成された吸収性衣類の様々な実施形態が、以下に詳細に述べられる。概して、吸収性衣類は、衣類シェルに囲まれた吸収性組立体を含む。吸収性組立体は、衣類シェルのかなりの部分が、吸収性組立体に対して自由に移動することが可能な方法で、衣類シェルに取り付けられる。しかしながら、吸収性組立体が衣類シェルに結合する方法は、概して本発明には重要ではない。したがって、以下の説明及び関連する数字は、本発明の特性及び態様を良く説明するための任意の実施形態を示したものにすぎない。
【００３５】
図面、特に図１及び２を参照すると、本発明の一実施形態による吸収性衣類が、参照番号１０で、その全体を示されている。吸収性衣類１０は、着用者の腰部に着用された形態であり、一般的には、全体を１２で示される前腰部領域、全体を１４で示される後腰部領域、及び全体を１５で示される股部領域を有する。前及び後腰部領域１２、１４は、それぞれ側縁部１６、１８を有し、特定の実施形態においては、衣類の側部シーム１９に沿って互いに取り付けられて、着用中に衣類の三次元形態を形成し、全体を２０で示される腰部開口を有する。ここで用いられる、「シーム」という用語は、２つの部品が重なるか、又はそうでなければ互いが突き当たる部分に沿った領域を意味し、互いに取り付けられるか或いは取り付けられないものとすることもできる。
【００３６】
更に、ここで示されているように、吸収性衣類は、適当なものとしては、ショーツ（例えば、ボクサー型ショーツ、運動用ショーツ、ランニング用ショーツなど）、スカート、スコート（すなわちスカートと１対のショーツの組み合わせ）、水泳用トランクス及び同様のものなどの従来の衣服に似せて形成されるが、着用者から放出される身体排出物を取り入れて、保持するなどの従来の吸収性物品の機能を与えるものである。吸収性衣類１０は、全体を２２で示され、通常の衣服の望ましい類似点を与えるように形成された衣類シェル、及び全体を２４で示され、衣類シェル内に配置されて、取り外し可能に取り付けられ、更に着用者から放出される身体排出物を取り入れて、保持するように形成された吸収性組立体を含む。
【００３７】
図１及び２を特に参照すると、衣類シェル２２は、全体を２６で示される、横方向両側の側縁部４８を有する前パネル組立体及び図２に全体を２８で示される、横方向両側の側縁部５０を有する後パネル組立体を含む。示された実施形態においては、前パネル組立体２６の側縁部４８は、吸収性衣類１０の前部側縁部１６を広く定め、後パネル組立体２８の側縁部５０は、吸収性衣類の後部側縁部１８を広く定めるものである。更にこの後詳細に示しているように、衣類シェル２２の前及び後パネル組立体２６、２８の側縁部４８、５０は重なり、更に特定の実施形態においては、互いが取り付けられて、吸収性衣類１０の側面シーム１９を広く定め、着用中に衣類シェルの三次元形態を形成する。
【００３８】
図１及び図２に示されるような三次元形態においては、衣類シェル２２は、吸収性衣類１０の前腰部領域１２を少なくとも部分的に定める前腰部領域３２、吸収性衣類の後腰部領域１４を少なくとも部分的に定める後腰部領域３４、及び衣類シェルの腰部開口３６を全体的に定め、それぞれが５６及び５８で示される前及び後腰部端部を有する。示された実施形態においては、衣類シェル２２は、１対のショーツに似せて形成され、衣類シェルの前腰部領域３２と後腰部領域３４との間に縦方向に延び、更に相互結合する股部領域３８を更に有する。衣類シェル２２の股部領域３８は、吸収性衣類１０の股部領域１５を少なくとも部分的に定め、更に部分的に衣類シェルの脚部開口４０を定める（ここでは、吸収性衣類の外側脚部開口として広く意味する）。しかしながら、衣類シェル２２の股部領域３８は、省略することができ（吸収性衣類１０の股部領域１５は、ここに後で述べるように、吸収性組立体２４によってのみ定められる。）、この場合は衣類シェルは、本発明の範囲から外れることなく、スカートに似せるように意図される。（衣類シェルの１つだけの脚部開口４０が、着用者の両方の脚部を受け入れるように形成される。）
【００３９】
衣類シェル２２の前パネル組立体２６は１対のパネル部材４２を含み、特定の実施形態においては、超音波接着、圧力接着、熱接着、接着剤接着、縫い合わせ又は他の従来の取り付け技術などによって、衣類シェルの前腰部領域３２から股部領域３８まで縦方向に延びる中央シーム４４に沿って、互いに永久的に取り付けられる。後パネル組立体２８は、前パネル組立体２６のパネル部材４２と類似した方法で、衣類シェル２２の後腰部領域３４から股部領域３８まで縦方向に延びる中央シーム４７（図３）に沿って、互いが永久的に取り付けられるように形成された１対のパネル部材４６を含む。しかしながら、前及び後パネル組立体２６、２８各々は、本発明の範囲から外れることなく、単一のパネル部材（例えば、一体した構成で）で形成することができることが理解される。代替的には、衣類シェル２２の１つの側面上の前及び後パネル部材４２、４６は、その股部領域３８で一体に形成することができ、脚部開口ではパネル部材のどんな取り付けも必要ではない。
【００４０】
衣類シェル２２の前及び後パネル組立体２６、２８のパネル部材４２、４６は、あらゆる適当な材料で、より適当なものとしては、全体的に布のような手触りを与える材料で形成することができる。特定の実施形態においては、パネル部材４２、４６は、比較的耐久性のある材料で形成され、衣類シェル２２は、吸収性組立体の多数の入れ替えを通して再使用することができる。パネル部材４２、４６は、必須ではないが、衣類シェルの洗濯を可能にさせる、洗濯に適した材料で形成することができる。このような材料は、ストレッチ編み、フリース編み、ヘリンボーン編み、ジャージー編み、及びラッシェル編みなどの編み布、ブロード、綾織物、パーケル、ポプリン、モスリン、キャンブリック、チノクロス、フランネル、シルク及び毛織物などの織成布を含むことができる。
【００４１】
更に別の実施形態においては、衣類シェルは、一回又は数回の使用の後使い棄て可能であることを意図している。例として、パネル部材４２、４６は、天然及び／又は合成材料から形成することができ、これらに制限されるものではないが、スパンボンドウエブ、メルトブローンウエブ、スパンボンドフィルム積層体、ボンデッドカーデッドウエブ、スパンレースウエブ、水素交絡ウエブ、及びニードルパンチされた布などの不織成物を含む、あらゆる適当な方法で形成することができる。
【００４２】
例えば、一実施形態においては、衣類シェルは、スパンボンドウエブを含む積層体材料を含む。例えば、積層体は、２つの両側のスパンボンド層の間に積層化されたフィルム又はメルトブローン層を含むことができる。中間層は、積層体内に含まれ、吸収性組立体を隠し、積層体を通して吸収性組立体が見えないようにする。一実施形態においては、例えば、中間層は、ポリエチレンだけで形成されたか又は他のポリマーと組み合わせて形成されたメルトブローンウエブを含むことができる。
【００４３】
中間層に積層化されたスパンボンド層は、二成分フィラメントから形成することができる。例えば、スパンボンド層は、鞘／芯配列を有する二成分フィラメントを含むことができる。芯は、ポリプロピレンだけで形成されるか又は他のポリマーと組み合わせて形成することができる。一方、鞘は、ポリエチレンポリマーだけを含むか又は他のポリマーと組み合わせて含むことができる。
【００４４】
層及び積層体各々の基本重量は、材料が望ましい程度の柔軟性、ドレープ性及び不透明さを有するように調整することができる。一般的には、例えば、積層体は、約１ｏｓｙから約１．５ｏｓｙなどの、約１ｏｓｙから約３ｏｓｙの全体基本重量を有することができる。積層体が、スパンボンド／メルトブローン／スパンボンド積層体を含む場合には、例えば、メルトブローン層は、約０．２ｏｓｙから約０．５ｏｓｙなどの約０．１ｏｓｙから約１ｏｓｙの基本重量を持つことができる。スパンボンド表面材は基本重量の残りを占めており、両方の外側層は、望まれるならば同じ基本重量を有するようにすることができる。
【００４５】
望まれるならば、積層体材料は、リブ編み接着パターンなどの接着パターンを含むことができる。接着パターンは、異なる層を互いに取り付けるだけでなく、材料の不透明さを増加して、材料に布のような見かけを与えるように機能する。
【００４６】
衣類の美的概観を改善するために、衣類シェルは、様々な色及び図案を含むことができる。例えば、一色並びに印刷された図案が衣類シェルの外側表面に施される。例として、外側シェルは、蝶及び花の図案を含むピンク色を有することができるか、又は青色でスポーツの図案を含むことができる。
【００４７】
上記したように、本発明により形成された衣類シェルは、吸収性組立体に対して又はベッドシートなどの近接する材料に対して擦り付けられた時、摩擦特性を注意深く制御するように形成される。例えば、一実施形態においては、衣類シェルと吸収性組立体との間の摩擦係数は、衣類シェルの外側表面と標準ベッドシート材料との間の摩擦係数より少なくとも約１５％小さいものとするべきである。これに関して、外側シェルの摩擦特性を注意深く制御するために、様々な技術を使用することができる。
【００４８】
例えば、上記した接着パターンは、衣類シェルの外側表面に付与されるだけであり、これにより比較的粗い外側表面及び比較的滑らかな内側表面を形成することができる。更に、接着パターンの密度を制御することにより、摩擦係数に効果を与えることができる。概して、あまり密ではない接着パターンは、一般的には、反対側の材料に対して摩擦係数を増加させる。
【００４９】
衣類シェルの摩擦係数を制御するための別の技術は、二成分フィラメントの鞘を形成するポリマーを選択することである。例えば、ポリエチレンは、ポリプロピレンを使用した時より、低い摩擦係数を有する表面を形成する傾向にある。更に、鞘内に他のポリマーを組み込むことにより、摩擦係数を調節することができる。
【００５０】
衣類シェルの摩擦係数を調整するための更に別の技術は、スパンボンドフィラメントの大きさを増加又は減少することである。概して、大きい直径のフィラメントは、大きい摩擦係数を有する材料を形成する。概して、例えば、メルトブローン繊維の直径は、約１ミクロンから約５ミクロンの間で変化することができる。一方、スパンボンド繊維の直径は、約１５ミクロンから約２０ミクロンの間で変化することができる。
【００５１】
上記した技術に加えて、材料の基本重量は、衣類シェルの摩擦係数を適合させ及び制御するために使用することができる。例えば、概して、不織ウエブの基本重量が増加すると、その材料の摩擦係数が全体的に増加する。このように、一実施形態においては、衣類シェルの外側表面は、衣類シェルの内側に位置決めされるスパンボンドウエブより大きい基本重量を有するスパンボンドウエブを含むことができる。
【００５２】
図２を参照すると、衣類シェル２２の前及び後パネル組立体２６、２８は、パネル組立体のそれぞれの側縁部において、互いに取り外し可能に取り付けることができる。例えば、示された実施形態においては、締結部品５２は、前パネル組立体２６の各々の側縁部４８に取り付けられて、更に後パネル組立体２８の各々の側縁部に取り付けられた捕捉的締結部品５４と再締結可能に係合するようにさせる。図２に示された衣類シェル２２は、取り外し可能に取り付けられている時、前パネル組立体２６の側縁部４８に重なる後パネル組立体２８の側縁部５０を有するが、衣類シェルは、取り外し可能な取り付けのために、前パネル組立体の側縁部が後パネル組立体の側縁部に重なるように、代わりに形成することができる。
【００５３】
締結部品５２、５４は、接着剤締結具、粘着材締結具、機械締結具、又は同様のものなどの、衣類に適当なあらゆる再締結可能な締結具を含むことができる。特に適当な実施形態においては、締結部品５２、５４は、フック型、ループ型、バルブ型、マッシュルーム型、矢じり状、ステム上のボール、雄・雌噛合い部品、バックル、スナップ又は同様のものなどの、相互係合させる幾何学的形状の材料により形成される機械的締結要素を含む。例えば、示された実施形態においては、締結部品５２は、フック型締結具を含み、締結部品５４は、フック締結具が着用者から全体的に離れた側に向くように配列された捕捉的ループ型締結具を含む。代替的には、締結部品５２は、ループ型締結具を含み、締結部品５４は、捕捉的フック型締結具を含むことができる。
【００５４】
締結部品５２、５４は、ほぼパネル組立体の腰部端部５６、５８から衣類シェルの腰部端部と脚部開口４０の中間部分の位置まで、前及び後パネル組立体２６、２８のそれぞれの側縁部４８、５０に沿って延び、吸収性衣類の側縁部１６、１８は、側面シーム１９の上部セグメントに沿って、互いに取り外し可能に取り付けられる。例として、締結部品５２、５４は、適当なものとしては、その側縁部４８、５０に沿って、衣類シェル２２の前及び後腰部端部５６、５８から、側縁部の長さの約３０パーセントから約９０パーセントの範囲（広くは、吸収性衣類１０の側面シーム１９の長さの約３０パーセントから約９０パーセント）で延びる。しかしながら、締結部品５２、５４は、本発明の範囲から外れることなく長く又は短くすることができることが理解される。このように、示された実施形態においては、吸収性衣類の側面シーム１９の部分だけが、取り外し可能に取り付けられる。
【００５５】
側縁部４８、５０が取り外し可能に取り付けられていない（例えば、衣類シェルの締結部品５２、５４の底部から脚部開口４０まで延びる）部分に沿った衣類シェル２２のセグメントは、適当なものとしては、取り付けのあらゆる形状のないものとする。このような実施形態においては、吸収性衣類１０の側面シーム１９の再締結可能ではない部分は、開口していることを意味し、その側縁部１６、１８は、取り付けられていないことを意味する。
【００５６】
代替的には、衣類シェル２２の前及び後組立体２６、２８の側縁部４８、５０は、接着剤、熱接着、超音波接着又は圧力接着、又は他の適当な取り付け技術などによって、締結部品の底部から脚部開口４０まで延びる側縁部の部分に沿って、互いに再締結不可能に（例えば、壊しやすい又は永久的に）取り付けることができる。
【００５７】
締結部品５２、５４は、前及び後パネル組立体２６、２８の側縁部４８、５０に沿って部分的に上方向に、衣類シェルの脚部開口４０から代わりに延びることができる（例えば、吸収性衣類の側面シーム１９の低いセグメントだけが、再締結可能であるように）と考えられる。締結部品５２、５４の上部から衣類シェル２２の腰部端部５６、５８に延びる側縁部４８、５０は、前述した方法で、互いに再締結不可能に（例えば壊しやすい又は永久的に）取り付けることができる。
【００５８】
他の実施形態においては、締結部品５２、５４は、衣類シェル２２の前及び後パネル組立体２６、２８の側縁部４８、５０全体の長さに延びることができる（例えば、吸収性衣類１０の側面シーム１９は、その全体の長さに沿って再締結可能であるように）。又、締結部品５２、５４は、各々の側縁部４８、５０に沿って連続するように示されているが、２つ又はそれ以上の締結部品が、本発明の範囲から外れることなく、側縁部に沿って離れた関係で、各々の側縁部に取り付けることができることを理解すべきである。
【００５９】
衣類シェル２２の側縁部４８、５０は、代わりにその全体の長さのすべて又は部分に沿って、永久的に又は壊しやすく（例えば、再締結不可能に）取り付けることができ、側縁部のどの部分も再締結可能ではないようにすることが、更に考えられる。衣類シェル２２は、シェルの各々の側面にそれぞれ前及び後パネル部材４２、４６を一体して形成するなどにより、その側縁部４８、５０を省いて形成することができることも理解される。
【００６０】
衣類シェル２２の前及び後パネル組立体２６、２８が、それぞれの側縁部４８、５０において互いに取り外し可能に取り付けられていることに加えて、或いはこれに替わるものとして、パネル組立体は、衣類シェルの股部領域３８において互いに取り外し可能に取り付けられ、吸収性組立体を点検するか又はそうでなければ取り替えのために、衣類シェルを股部領域で締結解除し、吸収性組立体２４に対して引き上げることができるようにすることが考えられる。例えば、締結部品（図２には示されていないが、図１０の６０、６２に示されている）は、全体的に股部領域３８において、衣類シェル２２の前及び後パネル組立体２６、２８に取り付けることができ、股部領域においてパネル組立体の取り外し可能に取り付けることができるようにする。
【００６１】
吸収性衣類１０の外観を改善し、並びに着用者の腰部への吸収性衣類の嵌合性を増進するために、１又はそれ以上の弾性部材６４（例えば、腰バンド弾性材）が、全体的にそれぞれの腰部端部５６、５８で、前及び後パネル組立体２６、２８と作動的に結合することができる。例えば、図２に最も良く見られるように、弾性部材６４は、吸収性組立体２４の横方向両側の側面上で、衣類シェル２２の前腰部端部５６と作動的に結合することができる。別の弾性部材６４は、同じく吸収性組立体２４の横方向両側の側面上で、後腰部端部５８に作動的に結合することができる。弾性部材６４は、延伸された状態の時に、衣類シェル２２に作動的に取り付けることができ、収縮した時に、弾性部材は、前及び後腰部端部５６、５８で衣類シェルをギャザー寄せし、ギャザー寄せされた外観を形成して、着用者の腰部に吸収性衣類の弾性嵌合を与える。代替的には、多数の弾性部材（図示されず）は、衣類シェル２２の各々の腰部端部５６、５８に取り付けることができ、本発明の範囲から外れることなく、全体にわたって、又はそれぞれの腰部端部の幅の一部だけに、横方向に延びることができる。
【００６２】
更に図２−４を参照すると、吸収性組立体２４は、前腰部領域１２２、後腰部領域１２４、前及び後腰部領域と相互結合する股部領域１２６、着用者と接触する関係で形成される内側表面１２８、及び内側表面と反対側の外側表面１３０を含む。前腰部領域１２２は、吸収性衣類１０が着用された時、着用者の前部に位置決めされる吸収性組立体の部分を含み、後腰部領域１２４は、着用者の後部に位置決めされる吸収性組立体の部分を含む。吸収性組立体２４の股部領域１２６は、着用者の脚部の間に位置決めされる組立体の部分を含み、着用者の低胴部を覆う。図３を更に参照すると、吸収性組立体２４は、横方向両側の側面縁１３６及び縦方向両側の腰部端部を有し、それぞれはここで、前腰部端部１３８及び後腰部端部１４０として示されている。
【００６３】
吸収性組立体２４は、適当なものとしては「使い棄て」であり、ここで用いられるこの用語は、制限された期間を使用した後、再使用のために洗濯されるか又はそうでなければ貯蔵される代わりに廃棄することを意図する物品を意味する。しかしながら、吸収性組立体は再使用することができ、これも本発明の範囲内であると考えられる。説明だけのために、吸収性組立体２４を形成する様々な材料及び方法が、２０００年６月２９日付けのＡ．Ｆｌｅｔｃｈｅｒ他の米国特許出願ＷＯ００／３７００９、１９９０年７月１０日付けのＶａｎ  Ｇｏｍｐｅｌ他の米国特許第４，９４０，４６４号、及び１９９８年６月１６日付けのＢｒａｎｄｏｎ他の米国特許第５，７６６，３８９号に記載されており、引用によりここに組み入れられる。
【００６４】
衣類シェル２２から取り外され、平坦な形態に置かれた吸収性組立体２４が図３及び３Ａに示されている。この実施形態においては、吸収性組立体２４は、長方形の形状で示されており、縦方向軸１４２、及び横方向、すなわち横向き軸１４４を有する。吸収性組立体２４は、砂時計型、Ｔ字型、Ｉ字型又は本発明から外れることない他の適当な形状などの長方形以外の形状とすることができると理解される。図３を参照すると、吸収性組立体２４は、外カバー１４６、外カバーと重なる関係の身体側ライナー１４８、外カバーと身体側ライナーとの間に置かれる外側吸収性本体１５０、及び吸収性組立体の側縁部１３６までライナー上の身体排出物の横方向き流れを妨げるように形成された、１対の横方向に間隔を持つ収容フラップ１５２を含む。
【００６５】
吸収性組立体２４の外カバー１４６は、必須ではないが、実質的には液体不透過性の材料を含むことができ、更に延伸可能又は非延伸可能とすることができる。外カバー１４６は、材料の単一層から形成することができるか、又は多層積層体を含むことができる。ここで用いられる「延伸可能な」という用語は、伸長可能又は弾性とすることができる材料を意味する。すなわち、材料は、破断されることなく、伸長、変形又は同様のものとすることができ、伸長力が取り除かれた後、著しく収縮することができるか、又は収縮することができないものもある。ここで用いられる「弾性」という用語は、伸び力を取り除いた場合に、材料が実質的には、その伸長していない大きさ及び形状に回復する可能性があるか、又は材料が著しい収縮力を示すといった材料の特性を意味する。「伸長可能な」という用語は、伸び力を取り除いた場合に、材料が実質的には永久的変形を形成するか、又は材料が、著しい収縮力を示さないといった材料の特性を意味する。
【００６６】
一実施形態においては、外カバー１４６は、少なくとも層の１つが液体不透過性である多層積層体構造を含む。例えば、図３及び３Ａを参照すると、外カバー１４６は、液体透過性外側層１５４及び液体不透過性内側層１５６を含むことができ、これらは、適当なものとして、積層体接着剤、超音波接着、圧力接着、熱接着又は同様のものにより、互いに結合される。ビーズ、スプレー、平行渦巻き、又は同様のものとして、連続して又は断続的に施される適当な積層体接着剤は、米国ウイスコンシン州、ウオ−ワトサのＦｉｎｄｌｅｙ  Ａｄｈｅｓｉｖｅｓ，Ｉｎｃ．又は米国ニュージャージー州ブリッジウオーターのＮａｔｉｏｎａｌ  Ｓｔａｒｃｈ  ａｎｄ  Ｃｈｅｍｉｃａｌ  Ｃｏｍｐａｎｙから得ることができる。
【００６７】
１つの特定の実施形態においては、例えば、外カバー１４６の外側層１５４はスパンボンドウエブを含むことができるが、液体不透過性内側層１５６は、ポリマーフィルムを含むことができる。ポリマーフィルムは、例えば、ポリプロピレン、ポリエチレン、これらのコポリマー、又はこれらの混合物を含むことができる。一方では、スパンボンドウエブは、約１０ｇｓｍから約３０ｇｓｍなどの比較的低い基本重量を有することができる。スパンボンドウエブは、布のような手触り及び外観を有する外カバー１４６を形成することができる。
【００６８】
概して、外カバー１４６は、特に衣類シェルの内側表面に対してテストした時に、適当な摩擦係数を有するような方法で形成することができる。外カバー１４６の摩擦係数を制御するために、衣類シェルに関して上記した技術を使用することができる。例えば、フィラメントの直径、基本重量、及び外カバーのスパンボンド層を形成するために使用される材料は、目標とする摩擦係数に到達するために、望まれるように変えることができる。
【００６９】
代替的には、外カバー１４６は、スパンボンドウエブを含まないが、代わりに、ポリマーフィルムを含む外側表面を有するものとすることができる。概して、フィルムは、不織ウエブより低い摩擦係数を有するものである。したがって、外カバー１４６と衣類シェルとの間の摩擦係数を最小にするために、フィルムを、外カバー１４６の外側表面として機能するようにさせることが望ましい。
【００７０】
本発明の別の実施形態においては、外カバー１４６は、スパンボンドフィルム積層体又は同様のものなどの、延伸可能な積層体を含むことができる。
【００７１】
代替的には、外カバー１４６は、液体不透過性材料の単一層を含むことができる。液体不透過性材料は、使い棄て吸収性物品の内側から蒸気を逃がすことは可能であるが、外カバー１４６を通して液体を通過させることは妨げる。例えば外カバー１４６は、マイクロポーラスポリマーフィルム、又は望ましい程度の液体不透過性を与えるように被膜されるか又はそうでなければ処理された不織布で形成することができる。１つのこのようなマイクロポーラスフィルムは、日本の東京の三井東圧化学株式会社より商業的に入手可能なＰＭＰ−１フィルム材料、又は米国ミネソタ州ミネアポリスの３Ｍ  Ｃｏｍｐａｎｙより商業的に入手可能なＸＫＯ−８０４４ポリオレフィンフィルムである。単一層外カバー１４６は、エンボス加工及び／又はつや消し仕上げされて、より布のような外観を形成することができる。
【００７２】
液体透過性身体側ライナー１４８は、外カバー１４６及び吸収性本体１５０に重なるように示されており、外カバー１４６の寸法と同じ寸法とすることができるが、必ずしもではない。身体側ライナー１４８は、しなやかで、柔軟な感触を持ち、更に着用者の肌に刺激を与えないことが望ましい。更に、身体側ライナー１４８は、吸収性本体１５０より親水性ではなく、着用者に比較的乾燥した表面を与え、ライナーを通して液体が容易に挿通することを可能とさせる。代替的には、身体側ライナー１４８は、一層親水性とすることができるか、又は本質的には吸収性本体１５０と同じ程度に湿分に対して親和性を有することができ、着用者に比較的湿潤した表面を与え、湿潤している感覚を増加させる。この湿潤感覚は、訓練方法としては有益なものとすることができる。親水性／疎水性特性は、身体側ライナー１４８及び吸収性本体１５０の長さ、幅及び深さにわたって変化することができ、望ましい湿潤感覚又は漏れ性能を達成することができる。
【００７３】
身体側ライナー１４８は、合成繊維（例えば、ポリエステル又はポリプロピレン繊維）、天然繊維（例えば、木質又は綿繊維）、天然繊維と合成繊維の組み合わせ、多孔性発泡体、網目状発泡体、孔あき可塑性フォルム、又は同様のものなどのウエブ材料から広く選択して製造することができる。様々な織成及び不織布が、身体側ライナー１４８に使用することができる。例えば、身体側ライナー１４８は、ポリオレフィン繊維のメルトブローンウエブ又はスパンボンドウエブで形成することができる。身体側ライナーは、天然及び／又は合成繊維で形成されたボンデッドカーデッドウエブとすることができる。身体側ライナー１４８は、実質的には、疎水性材料で形成することができ、更に疎水性材料は、任意ではあるが、望ましい程度の湿潤性及び親水性を与えるために、表面活性剤又はその他の方法で処理することができる。例えば、材料は、米国ノースカロライナ州マウントホーリーのＨｏｄｇｓｏｎ  Ｔｅｘｔｉｌｅ  ＣｈｅｍｉｃａｌｓからのＡｈｃｏｖｅｌ  Ｎ−６２とペンシルベニア州アンブラーのＨｅｎｋｅｌ  ＣｏｒｐｏｒａｔｉｏｎからのＧｌｕｃｏｐａｎ２２０ＵＰを活性比３：１で混合した、約０．４５重量パーセントの表面活性剤混合物で表面処理することができる。表面活性剤は、スプレー、印刷、ブラシ被膜又は同様のものなどのあらゆる従来の手段で付与することができる。表面活性剤は、身体側ライナー１４８全体に付与することができるか、又は縦方向中央線に沿った中間部分などの身体側ライナーの特定の部分に選択して付与することができる。
【００７４】
適当な液体透過性身体側ライナー１４８の１つの例は、約２７ｇｓｍの基本重量を有する不織二成分ウエブである。不織二成分ウエブは、スパンボンド二成分ウエブ又はボンデッドカーデッド二成分ウエブとすることができる。適当な二成分繊維は、日本の大阪のチッソコーポレーションより入手可能なポリエチレン／ポリプロピレン二成分繊維を含む。この特定の二成分繊維は、ポリプロピレンが芯を形成し、かつポリエチレンが繊維の鞘を形成する。複突部、横方向並列配置、端部突合せ、又は同様のものなどの他の繊維配向が可能である。
【００７５】
吸収性本体１５０（図４）は、外カバー１４６と身体側ライナー１４８の間に位置決めされ、接着剤、超音波接着、圧力接着、熱接着、又は同様のものなどのいずれか適当な手段で互いに結合することができる。吸収性本体１５０は、全体的に圧縮性、順応性があり、子供の肌に刺激がなく、更に液体及びある種の身体排出物を吸収して保持することが可能であり、広く種々異なる大きさ及び形状で、かつ当技術で一般的に使用される広く種々異なる液体吸収性材料から形成することができる。例えば、吸収性本体１５０は、適当なものとしては、セルロース系フラフのウエブなどの、超吸収性材料として一般的に知られている高吸収性材料の粒状物と混合された親水性繊維のマトリックスを含むことができる。特定の実施形態においては、吸収性本体１５０は、木質パルプフラフなどのセルロース系フラフのマトリックス及び超吸収性ヒドロゲル形成粒状物を含む。木質パルプフラフは、合成、ポリマー性メルトブローン繊維又はショートカットされたホモフィル二成分合成繊維及び天然繊維と交換することができる。超吸収性粒状物は、実質的には、親水性繊維と均一に混合するか、又は非均一に混合することができる。フラフ及び超吸収性粒状物は、身体排出物をより良好に含み、吸収するために、吸収性本体１５０の望ましい領域に選択して配置することができる。超吸収性粒状物の濃度は、吸収性本体１５０の厚さを通して変化させることができる。代替的には、吸収性本体１５０は、繊維性ウエブの積層体及び超吸収性材料、発泡体、又は他の適当なウエブ構成物を含むことができる。
【００７６】
適当な超吸収性材料は、天然ポリマー、合成ポリマー、及び変成天然ポリマー及び材料から選択することができる。超吸収性材料は、シリカゲルなどの無機材料、又は例えば中和されたポリアクリル酸ナトリウムのような架橋結合したポリマーなどの有機化合物とすることができる。適当な超吸収性材料は、米国ノースカロライナ州シャーロットのＢＡＳＦ  Ｃｏｒｐｏｒａｔｉｏｎ、及びドイツ連邦共和国クレーフェルト、Ｄ−４７８０５のＳｔｏｃｋｈａｕｓｅｎ  ＧｍｂＨ  ＆  Ｃｏ．ＫＧなどの様々な商業的供給者から入手可能である。典型的には、超吸収性材料は、水の中で、その重量の少なくとも約１０倍を吸収することが可能であり、適当なものとしては、水の中で、その重量の約２５倍より多く吸収することが可能である。
【００７７】
一実施形態においては、吸収性本体１５０は、木質パルプフラフ及び超吸収性材料の混合物を含む。パルプの１つの適当な型は、米国アラバマ州チルダースバーグのＵ．Ｓ．Ａｌｌｉａｎｃｅより入手可能な、商標名ＣＲ１６５４と特定され、主に軟材木質繊維及び約１６％の硬材繊維を含む、漂白された高吸収性硫酸塩木質パルプである。概して、超吸収性材料は、吸収性組立体の総重量を基準にして、０から約９０重量パーセントの量で、吸収性本体１５０に存在する。吸収性本体１５０は、メルトブローンラップ又はセルロース系ティッシュラップなどの適当なラップによりラップされるか又は囲むことができるか、或いはできないことがあり、これは、使用中に吸収性組立体の一体性及び／又は形状を維持することを介助するものである。
【００７８】
収容フラップ１５２は、吸収性組立体２４の側面縁１３６にほぼ近接して位置することができ、図３に示されるように、吸収性組立体２４の全体の長さに沿って又は吸収性組立体の長さの部分にだけ沿って、縦方向に延びることができる。フラップ弾性部材１５３（図３）は、弾性部材をフラップに接着するなどの、当業者によく知られている適当な方法で、収容フラップ１５２と作動的に結合することができ、その間、フラップが、弾性部材により縦方向にギャザー寄せされた形態に付勢されるように、弾性部材は延伸した状態にある。弾性化された収容フラップ１５２は、部分的に取り付けられていない末端縁（図示されず）で、ライナー１４８に取り付けられないように定められ、着用中に、吸収性組立体２４の少なくとも股部領域１２６において、直立した形態を呈し、着用者の身体に対して、シール（例えば、弾性嵌合）を形成する。収容フラップ１５２に対する適当な構成及び配列は、一般的に当業者に良く知られており、１９８７年１１月３日付けのＥｎｌｏｅの米国特許第４，７０４，１１６号に記載されており、引用によりここに組み入れられる。しかしながら、収容フラップ１５２は、本発明の範囲から外れることなく、省略することができる。
【００７９】
着用者の吸収性衣類１０の嵌合性を更に増進するために、かつ身体排出物の漏れを更に妨げるために、吸収性組立体は、当業者に知られているような、腰部弾性部材１５８（図３）及び脚部弾性部材１６０（図３）を有することができる。腰部弾性部材１５８は、弾性部材が延伸した状態の時に、弾性部材が外カバー１４６及び／又は身体側ライナー１４８に取り付けるなどにより、腰部端部１３８及び１４０で、吸収性組立体２４と作動的に結合することができ、収縮した時、弾性部材は、腰部端部で吸収性組立体をギャザー寄せし、着用者の腰部に対して弾性嵌合を形成する。示した実施形態においては、吸収性組立体２４と作動的に結合する弾性部材１５８、及び吸収性組立体の横方向両側の側面上で、衣類シェル２２と作動的に結合する弾性部材６４は、互いが、実質的には着用者の腰部全体に対して、吸収性衣類１０の弾性嵌合を付与する。吸収性組立体２４のそれぞれの前及び後腰部端部１３８、１４０を部分的にだけ横切って延びる弾性部材１５８が、図３に示されている。しかしながら、弾性部材１５８は、本発明の範囲から外れることなく、１つ又は両方の腰部端部１３８、１４０で、吸収性組立体２４の幅全体にわたって、横方向に延びることができることが理解される。
【００８０】
脚部弾性部材１６０は、外カバー１４６及び／又は身体側ライナー１４８と作動的に結合し、吸収性組立体２４の股部領域１２６を全体的に通して、両側の側面縁１３６に近接して縦方向に延びることができる。特定の実施形態においては、各々の脚部弾性部材１６０は、前末端点１６２及び後末端点１６４を有し、該末端点は脚部弾性部材により形成された弾性ギャザー寄せの縦方向端部を表わす。
【００８１】
フラップ弾性部材１５３、腰部弾性部材１５８（並びに衣類シェル２２と作動的に結合する弾性部材６４）、及び脚部弾性部材１６０は、あらゆる適当な弾性材料で形成することができる。当業者によく知られているように、適当な弾性材料の例は、シート、天然ゴムのストランド又はリボン、合成ゴム、又は熱可塑性エラストマー性ポリマーを含む。弾性材料は、延伸して基体に接着するか、ギャザー寄せされた基体に接着するか、又は基体に接着してから、弾性収縮力が基体に与えられるように、例えば熱の付与で弾性化又は収縮することができる。
【００８２】
吸収性組立体２４は、最初に受け取り、一時的に貯蔵し、及び／又は吸収性本体１５０と互いに向き合う表面に沿って液体を移動するように設計された他の材料又は部品を組み込むことができ、これにより、吸収性組立体の吸収容量を最大にすることができる。例えば、１つの適当な付加的部品は、一般的にはサージ層（図示されず）と言われる。サージ層は、液体サージを迅速に集積して、一時的に保持し、一時的に保持した液体を吸収性本体１５０に移動するように形成されるものとして、当業者に一般的によく知られている。
【００８３】
サージ層を形成するために、様々な織成及び不織布を使用することができる。例えば、サージ層は、ポリオレフィン繊維などの合成繊維のメルトブローン又はスパンボンドウエブで形成された層とすることができる。サージ層は、天然繊維及び合成繊維で形成されたボンデッドカーデッドウエブ又は空気堆積ウエブとすることもできる。例えば、ボンデッドカーデッドウエブは、低溶融結合材繊維、粉末剤又は接着剤を使用して接着される、熱により接着されたウエブとすることができる。ウエブは、任意ではあるが、異なる繊維の混合物を含むことができる。サージ層は、実質的には疎水性材料で形成することができ、疎水性材料は、任意ではあるが、望ましい程度の湿潤性及び親水性を与えるために、表面活性剤又はその他の方法で処理することができる。
【００８４】
サージ層に適した材料の例は、１９９６年１月２３日付けのＣ．Ｅｌｌｉｓ他の米国特許第５，４８６，１６６号、１９９６年２月１３日付けのＥｌｌｉｓ他の米国特許第５，４９０，８４６号、及び１９９４年１１月１５日付のＬａｔｉｍｅｒ他の米国特許第５，３６４，３８２号に記載されており、これらの特許は本明細書に一貫性がある範囲で引用によりここに組み入れられる。
【００８５】
図１−２及び図５−８を参照すると、吸収性組立体２４は、衣類シェル２２に取り付けられる。吸収性組立体２４の前及び後腰部領域１２２、１２４は、これらの前及び後腰部領域３２、３４それぞれで、全体的に衣類シェル２２に取り付けられる。より詳細に以下に示しているように、吸収性組立体２４は、衣類シェル２２に、永久的に取り付けるか、取り外し可能に取り付けるか、又は再締結可能に取り付けることができる。更に、取り付けは、介在する要素により、衣類シェルに直接的又は間接的なものとすることができる。
【００８６】
図１−２、５−８及び図９に示される例示的実施形態を参照すると、本発明の吸収性衣類１０は、衣類シェル腰部領域３２及び３４の１つ又は両方に配置される、少なくとも１つの内側取り付け部材７０を含む。吸収性組立体２４は、内側取り付け部材７０に再締結可能に取り付けられ、吸収性組立体の取り外し、調節、及び再取り付けを可能にする。このように、衣類１０内の吸収性組立体２４の位置は、異なる大きさの使用者に嵌合するように調節することができる。更に、簡単に示されるような実施形態においては、吸収性組立体２４は、吸収性衣類１０からすべてを一緒に取り除くことができ、取り替え、調節、又は省略することさえ可能であり、吸収性組立体２４なしに衣類シェル２２を着用することを可能とさせる。
【００８７】
図１、２及び図８に示される例示的実施形態を参照すると、吸収性組立体２４の前及び後腰部端部１３８、１４０は、内側取り付け部材７０及び衣類シェル後腰部領域３４にそれぞれ再締結可能に取り付けられる。少なくとも１つの締結部品６６は、全体的に前腰部端部１３８で、吸収性組立体２４の外カバー１４６に取り付けられる。内側取り付け部材７０は、吸収性組立体２４の前腰部端部１３８で、締結部品６６に再締結可能に取り付けるために、衣類シェル２２の前腰部領域３２の内側表面に配置される。１又はそれ以上の付加的締結部品６６が、吸収性組立体２４の後腰部端部１４０に、締結部品６６と取り外し可能に取り付けるために、衣類シェル２２の後腰部端部５８の内側表面に取り付けられた、締結部品６８（図８）に対応する後腰部端部１４０で、全体的に吸収性組立体２４の外カバーに取り付けることができる。
【００８８】
締結部品６６、６８は、接着剤締結具、粘着材締結具、機械締結具、又は同様のものなどの、ここで前述したような、衣類に適当なあらゆる再締結可能な締結具を含むことができる。特定の適当な実施形態においては、締結部品６６、６８は、フック型、ループ型、バルブ型、マッシュルーム型、矢じり型、ステム上のボール、雄・雌接合部品、バックル、スナップ、又は同様のものなどの、相互係合する幾何学的形状の材料により形成される機械締結要素を含む。
【００８９】
衣類シェル２２に再締結可能に取り付けられた吸収性組立体２４では、吸収性組立体２４の弾性化した側面縁１３６は、吸収性組立体の横方向両側の弾性脚部開口１７０（図１、５、７、８及び９）（広くは、吸収性衣類１０の内側脚部開口）を全体的に定め、そこでは、吸収性組立体２４は、着用者の脚部の少なくとも部分に対して弾性嵌合を付与する。衣類シェル２２の脚部開口４０は、吸収性組立体脚部開口１７０から離れて（例えば別個に）、吸収性衣類１０の外側脚部開口を広く定め、そこでは、吸収性衣類は、着用者の脚部に全体的に緩く垂れ下がる。
【００９０】
図４に示されているような吸収性組立体２４の代替的実施形態においては（並びに、図９に示され、以下に述べられている吸収性衣類１０の別の代替的実施形態においては）、吸収性組立体２４は、着用者の腰部全体に着用するように形成された、子供用訓練用パンツ、水泳用パンツ又は子供用或いは大人用遺尿症又は失禁用製品などの、ブリーフ型吸収性組立体とすることができる。より特定的には、図３に示され更にここで前述された部品に加えて、図４及び９に示される吸収性組立体２４は、それぞれが１８０、１８２で示される前及び後側面パネルを含み、吸収性組立体のそれぞれの前及び後腰部領域１２２、１２４で、全体的に吸収性組立体２４の各々の側面上に配置され、そこから外向き横方向に延びる。側面パネル１８０、１８２は、接着剤、又は熱接着、又は超音波接着、又は当業者に知られている他の適当な取り付け技術により、吸収性組立体２４の身体側ライナー１４８及び／又は外カバー１４６に取り付けることができる。代替的には、側面パネル１８０、１８２は、吸収性組立体２４の部品の一体した部分として形成することができる。例えば、側面パネル１８０、１８２は、外カバー１４６、身体側ライナー１４８、及び／又は吸収性組立体２４の別の部品の広い部分を全体的に含むことができる。
【００９１】
前及び後側面パネル１８０、１８２は、それぞれ外側縁１８４を有し、その前及び後腰部領域１２２、１２４において吸収性組立体２４の側面縁を広く定める。側面パネル１８０、１８２は、吸収性組立体２４の縦方向中央及びそれぞれの腰部端部縁１８８に向かって配置されたそれぞれの脚部端部縁１８６を有し、該腰部端部縁は、吸収性組立体２４のそれぞれの前又は後腰部端部１３８、１４０を更に定める。後側面パネル１８２の脚部端部縁１８６は、横方向軸１４４に対して湾曲しているか及び／又は角度を有することができ（図４）、着用者の脚部周囲に吸収性組立体２４の良好な嵌合を与えることができる。しかしながら、前側面パネル１８０の脚部端部縁１８６は、付加的に、又は代替的に湾曲するか又は角度を持つことができるか、或いは本発明の範囲から外れることなく、脚部端部縁が湾曲又は角度を持たないこともできる。
【００９２】
側面パネル１８０、１８２は、適当なものとしては、延伸可能な材料を、更に適当なものとしては弾性材料含むことができ、吸収性組立体２４の横方向軸１４４にほぼ平行な方向に延伸可能である。適当な弾性材料、並びに弾性側面パネルをブリーフ型吸収性組立体に組み込む１つの方法は、１９９０年７月１０日付けのＶａｎ  Ｇｏｍｐｅｌ他の米国特許第４，９４０，４６４号、１９９３年７月６日付けのＰｏｈｊｏｌａの米国特許第５，２２４，４０５号、１９９２年４月１４日付けのＰｏｈｊｏｌａの米国特許第５，１０４，１１６号、及び１９９１年９月１０日付けのＶｏｇｔ他の米国特許第５，０４６，２７２号に記載されており、これらのすべては引用によりここに組み入れられる。特定の実施形態においては、弾性材料は、延伸熱接合積層体（ＳＴＬ）、ネック付与状態で接着した積層体（ＮＢＬ）、可逆的にネック付与した積層体、又は延伸接着した積層体（ＳＢＬ）材料を含むことができる。このような材料の形成方法は、当業者によく知られており、１９８７年５月５日付けのＷｉｓｎｅｓｋｉ他の米国特許第４，６６３，２２０号、１９９３年７月１３日付けのＭｏｒｍａｎの米国特許第５，２２６，９９２号、１９８７年４月８日付けのＴａｙｌｏｒ他の欧州特許出願番号ＥＰ０２１７０３２、及びＷｅｌｃｈ他のＰＣＴ出願ＷＯ０１／８８２４５に記載されており、これらすべては引用によりここに組み入れられる。代替的には、側面パネル材料は、外カバー１４６又は身体側ライナー１４８に適したものとして上記されたもの、機械的に予め歪められた複合体、延伸可能ではあるが非弾性材料（例えば伸長可能）、又は非延伸可能な材料などの、他の織成又は不織材料を含むことができる。
【００９３】
図４及び９を参照すると、本実施形態の吸収性組立体２４は、そのほぼ外側縁１８４で、前側面パネル１８０に取り付けられた横方向に間隔を持つ第一締結部品１９２、及びそのほぼ外側縁で後側面パネル１８２に取り付けられ、第一締結部品と再締結可能に係合するようにさせた捕捉的第二締結部品１９４を含み、取り外し可能に側面パネルを互いに取り付けて、これにより着用者の腰部周囲に着用することができる吸収性組立体の三次元形態を定める。締結部品１９２、１９４は、接着剤締結具、粘着材締結具、機械締結具、又は同様のものなどの、吸収性衣類に適当なものとしてここに前述した、あらゆる再締結可能な締結具を含むことができる。特定の実施形態においては、締結部品１９２、１９４は、性能の改善のために機械的締結要素を含む。適当な機械的締結要素は、フック型、ループ型、バルブ型、マッシュルーム型、矢じり型、ステム上のボール、雄・雌接合部品、バックル、スナップ又は同様のものなどの、相互係合した幾何学的形状の材料により付与することができる。
【００９４】
図９に代表的に示された実施形態においては、吸収性組立体２４の三次元形態を定めるように互いが取り付けられた時、側面パネル１８０、１８２は、吸収性組立体２４の前及び後腰部端部１３８、１４０と共に、衣類シェル２２の腰部開口３６から離れた吸収性組立体の腰部開口１９６を定める。側面パネル１８０、１８２の脚部端部縁１８６を含む吸収性組立体２４の側縁１３６は、吸収性組立体２４の弾性脚部開口１７０（広くは、吸収性衣類１０の内側脚部開口）を定め、吸収性組立体は、その周囲で着用者の脚部に対して弾性嵌合を付与する。衣類シェル２２の前及び後パネル組立体２６、２８の取り付けられた側縁部４８、５０は、吸収性衣類１０の側縁部１６、１８を広く定め、特定の実施形態においては、吸収性衣類の側面シーム１９の全体又は部分に沿って、取り外し可能に取り付けられる。図２の実施形態におけるように、図９に示される衣類シェル２２の脚部開口４０（衣類シェル全体が、締結された形態にある時）は、吸収性組立体の脚部開口１７０から離れた（例えば、別個の）吸収性衣類１０の外側脚部開口を広く定め、その時吸収性衣類は、着用者の脚部周囲に全体的に緩く垂れ下がる。
【００９５】
図９に示される実施形態においては、前側面パネル１８０及び後側面パネル１８２は、前及び後腰部領域において、吸収性組立体２４の各々の側面に結合される。しかしながら、代替的実施形態においては、前側面パネル１８０及び後側面パネル１８２は、吸収性組立体の腰部開口１９６を定める連続する弾性バンドに取り替えることができる。弾性バンドは、吸収性組立体の前腰部端部１３８及び後腰部端部１４０に沿って、かつ近接して位置決めすることができるか、或いは代替的には、吸収性組立体の股部領域１２６により近くに位置決めすることができる。吸収性組立体に組み込まれる場合は、連続する腰部バンドは、衣類シェルに永久的に接着することができるか、又は望まれるように、衣類シェルに取り外し可能に取り付けることができる。一実施形態においては、腰部バンドは、横方向にミシン目の線などの弱い、脆い線を含むことができ、吸収性組立体が、吸収性衣類１０から切り離すことを可能とさせる。
【００９６】
図１−２、及び図５−８に代表的に示されているように、内側取り付け部材７０が、衣類シェルの前腰部領域３２に配置される。内側取り付け部材７０は、吸収性組立体２４上に存在する締結部品６６と、再締結可能に係合可能な締結表面７４を定める。例えば、吸収性組立体２４は、吸収体の前及び後腰部端部１３８、１４０の外側表面に取り付けられた締結部品６６によって、内側取り付け部材７０に再締結可能に取り付けることができる。示された実施形態においては、吸収性組立体２４の前及び後腰部端部１３８、１４０に取り付けられた締結部品６６は、フック型締結具である。このような実施形態においては、内側取り付け部材７０は、吸収性組立体２４のフック型締結具６６に取り外し可能に取り付けるために、適当なループ材料を含む。
【００９７】
内側取り付け部材は、その表面全体にわたって、又はその表面の一部だけにわたって、締結具６６と係合するのに適した締結表面７４を定めることができる。例えば、締結具６６がフック型締結具の場合は、内側取り付け部材７０は、捕捉的ループ型係合表面として機能する材料を一体的に含むことができる。代替的実施形態においては（図示されず）、内側取り付け部材７０は、吸収性組立体２４の前腰部端部１３８に取り付けられた締結部品６６に再締結可能に取り付けるために、内側取り付け部材７０に接着した１つ又はそれ以上の捕捉的相手側の締結部品を含むことができる。このような実施形態においては、内側取り付け部材７０及び吸収性組立体２４に取り付けられた締結部品は、吸収性衣類に適当なものとして前述したあらゆる締結部品を含むことができる。特定の実施形態においては、内側取り付け部材７０の締結表面７４全体が、締結表面の変動可能な位置となり、締結部品６６は、内側取り付け部材７０の長さ全体にわたって、あらゆる場所で取り外し可能に位置決めすることができる。
【００９８】
特定の実施形態においては、内側取り付け部材７０は、接着剤、熱接着、圧力接着又は超音波接着、或いは他の適当な取り付け技術によって、衣類シェル２２に永久的に取り付けられる。例えば、内側取り付け部材は、図６に示されるように、接着剤７８によって取り付けることができる。代替的には、内側取り付け部材７０は、全体的にその前腰部端部５６で、衣類シェルの内側表面に取り付けられた締結部品（図示されず）によって、衣類シェル２２に取り外し可能に取り付けることができる。別の実施形態においては、内側取り付け部材７０は、衣類シェル２２と一体して形成することができ、内側取り付け部材７０は、衣類シェル２２の前パネル組立体２６の少なくとも内側表面２７の部分を定め、更に衣類シェル２２の少なくとも内側表面２７の部分は、締結表面７４を定める。
【００９９】
内側取り付け部材７０は、縦方向軸１４２にほぼ平行な長さ寸法を有する。特定の実施形態においては、内側面材７０の少なくとも一部は、衣類シェル２２に粘着することはなく、粘着していないフラップ部分８０を定める。例えば、図５−８に示される実施形態に見られるように、内側取り付け部材７０は、衣類シェル２２に部分的にだけ取り付けることができ、内側取り付け部材７０の縦方向端部領域７６において、衣類シェル２２に粘着されていないフラップ部分８０を含むことができる。
【０１００】
本発明の吸収性衣類１０の衣類シェル２２は、様々な実施形態においては、衣類シェル２２の前腰部領域３２又は衣類シェル２２の後腰部領域３４のいずれかにおいて、或いはこの両方において、内側取り付け部材７０を含むことができる。例えば、図２、図５−８に示される例示的実施形態のおいては、衣類シェル２２の前腰部領域３２に配置された前内側取り付け部材７０を含む。
【０１０１】
内側取り付け部材７０は、身体側表面７２及び対向する外側向き表面７３を有する。特定の実施形態においては、図６に示されているように、衣類シェル２２は、前内側取り付け部材７０の外向き表面７３に取り付けられ、更に前締結部品６６は、前内側取り付け部材７０の身体側表面７２に取り付けられる。代替的には、この形態は、可逆的とすることができる（図示されず）。
【０１０２】
前内側取り付け部材を含む実施形態においては、吸収性組立体２４の後腰部端部１４０は、いくつもの方法で衣類シェル２２の後腰部領域３４に取り付けることができる。図５及び６に示されているように、該後腰部端部は、永久的に取り付けることができる。代替的には、図７に示されているように、該後腰部端部は、取り外し可能に取り付けることができる。この形態においては、吸収性組立体２４の後腰部領域１２４は、ミシン目などの脆い弱い線９０を含み、使用者が、吸収性組立体の後腰部領域１２４の少なくとも一部を吸収性衣類１０から取り外すことを可能とする。図８に示されているような更に別の実施形態においては、吸収性組立体２４の後腰部端部１４０は、締結部品６６及び６８の係合などにより、衣類シェル２２に取り外し可能に取り付けることができる。更に別の実施形態においては、衣類シェル２２の後腰部領域１２４は、後内側取り付け部材７０を含むことができ、吸収性組立体２４の後腰部領域１２４は、再締結可能に取り付けることができる。このような実施形態においては、後内側取り付け部材７０は、ある形態においては、そのものが脆い弱い線（図示されず）を含むことができ、使用者が、吸収性組立体後腰部領域１２４を吸収性衣類１０から完全に取り外すことを可能にする。もちろん、前内側取り付け部材は、ある実施形態においては、脆い弱い線を同様に含むことができる。
【０１０３】
本発明は、以下の実施例を参照すると更に理解することができる。
【実施例】
【０１０４】
以下のテストは、本発明により形成された吸収性衣類を構成するために使用することができる材料の型を示すために実施された。
【０１０５】
この実施例においては、吸収性組立体のための様々な衣類シェル材料及び様々な外カバー材料が、静摩擦係数及び動摩擦係数を求めるために、互いにテストされた。衣類シェル材料が、様々な標準ベッドシート材料に対する静摩擦係数及び動摩擦係数を求めるためにテストされた。特に、３つの異なる衣類シェル材料が、吸収性組立体の３つの型の外カバー及び３つの型のベッドシートに対してテストされた。
【０１０６】
衣類シェル材料は、以下のようにしてテストされた。
１．編み材料：編み材料は、１００％の綿で形成された編み布で形成された編み布ボクサー型から得た。
２．スパンボンドウエブ：スパンボンドウエブは、１．５ｏｓｙの基本重量であり、鞘芯配列の二成分フィラメントを含んでいた。鞘ポリマーは、ポリエチレンを含み、芯ポリマーは、ポリプロピレンを含んでいた。使用されたポリエチレンは、Ｄｏｗ  Ｃｈｅｍｉｃａｌから得られるＡＳＰＵＮ（登録商標）６８１１Ａであった。一方、使用されたポリプロピレンポリマーは、Ｅｘｘｏｎ  Ｃｏｒｐｏｒａｔｉｏｎから得られるＰＰ３１５５であった。スパンボンドウエブは、ダイアモンド型パターンで形成された接着点で接着されたものであった。
３．ＳＭＳ積層体：テストされた第三の材料は、スパンボンド／メルトブローン／スパンボンド積層体であった。積層体は、１．０ｏｓｙの基本重量であった。上記した積層体を形成するために使用したスパンボンドウエブは、上記したサンプル２と同じポリマーから形成したものであった。しかしながら、積層体のスパンボンドウエブは、およそ０．４ｏｓｙの基本重量であった。メルトブローン層も、二成分フィラメントから形成された。二成分フィラメントは、Ｄｏｗ  Ｃｈｅｍｉｃａｌから得られるＤＮＤＡ−１０８２ＮＴ−７ポリエチレンから成る鞘ポリマーを含んでいた。一方、ポリプロピレン芯ポリマーは、Ｂａｓｅｌｌから得られるＰＦ−０１５であった。積層体は、３０％延伸され、ワイヤー織り接着パターンを使用して接着された。ワイヤー織り接着パターンにおいては、接着位置は、交互に水平／垂直方向に向いた小さいダッシュマークを含むものである。
【０１０７】
テストされた吸収性組立体の外カバー材料は次の様なものを含む。
１．ポリマーフィルム：テストされたポリマーフィルムは、ポリエチレンフィルムであった。特に、フィルムは０．７５ミルの厚さであり、両面をコロナ処理された。
２．延伸フィルム積層体：延伸フィルム積層体は、スパンボンドウエブに積層されたフィルムを含んでいた。特に、フィルムは、通気性のために延伸されて、スパンボンドウエブに積層化された。スパンボンドウエブは、０．４７５ｏｓｙの基本重量であった。１．０ｇｓｍの量の接着剤が、スパンボンドウエブとフィルム層の間に付与された。フィルム層は、０．５ｏｓｙの基本重量であった。延伸フィルム積層体は、例えば、米国特許第６，１７７，６０７号に記載されている。
３．ポリマーフィルム／スパンボンド積層体：ポリマーフィルム／スパンボンド積層体は、二酸化チタン粒状物を含むスパンボンドウエブを含んでいた。スパンボンドウエブは、０．６５ｏｓｙの基本重量であった。スパンボンドウエブは、上記したポリマーフィルムに積層化された。接着剤が、２つの層の間に、渦巻きパターンで施された。接着剤は、Ｎａｔｉｏｎａｌｏ  Ｓｔａｒｃｈから得られるＤＩＳＰＯＭＥＬＴ３４−５６１１であり、一製品当たり０．０５グラムの割合で添加された。
【０１０８】
テストされた３つの標準ベッドシートは、次のものを含んでいた。
１．綿／ポリエステルベッドシート：テストされた綿／ポリエステルベッドシートは、５０％の綿と５０％のポリエステルを含んでいた。ベッドシートは、柔軟なパーケール織りを有し、１８０番手の糸であった。
２．ジャージーシート：テストされたジャージーシートは、１００％綿のジャージー編みベッドシートであった。
３．フランネルシート：テストされたフランネルシートは、１００％綿の重量のあるフランネルシートであった。
【０１０９】
材料は、上記した手順によって、互いに対する静摩擦係数及び動摩擦係数がテストされた。以下の結果が得られた。
2008538976.tif 000003
2008538976.tif 000004
2008538976.tif 000005
2008538976.tif 000006
【０１１０】
上記したように、編み材料は、シート材料に対してテストした時に、全体的に最も高い摩擦係数を有した。一方では、スパンボンドウエブは最も低い摩擦係数を有し、ＳＭＳ積層体は、上記した２つの中間に位置した。
【０１１１】
本発明による衣類の製造に使用される材料は、本明細書において上述した摩擦係数特性を有するべきであるが、様々な材料間の摩擦係数は、製品の外観に影響を与える唯一の特質というわけではないことがわかった。ドレープ性、剛性、材料に組み込まれる静電気の量、及び様々な他の要因が、衣類を形成する時に考慮される。
【０１１２】
本発明のこれら及び他の修正及び変更は、本発明の意図及び範囲から外れることなく、当業者により実施することができ、添付された特許請求の範囲で、特定的に述べられる。更に、様々な実施形態の態様は、全体又は部分において、両方が互換性とすることができることを理解するべきである。更に、当業者は、前述した説明は例のためだけであり、本発明を制限する意図はなく、更に添付された特許請求の範囲において述べられている。
【図面の簡単な説明】
【０１１３】
【図１】本発明の一実施形態による吸収性衣類の正面図である。
【図２】吸収性衣類の側面シームを部分的に締結し、部分的に締結しない状態で示した、図１の吸収性衣類の斜視図である。
【図３】締結されず、延伸した平坦な状態で置かれて、吸収性衣類の着用者に向く吸収性組立体の表面を示し、下にある特徴を示すために部分的に切り取られた、図１の吸収性衣類の吸収性組立体の平面図である。
【図３ａ】図３に類似しているが、吸収性衣類の着用者から遠い側の吸収体の表面を示した平面図である。
【図４】図３ａに類似した、吸収性組立体の代替的実施形態を示した平面図である。
【図５】吸収性衣類の側面シームを締結していない状態で示した、本発明の吸収性衣類の一実施形態の側面立面図である。
【図６】図５の吸収性衣類の側面断面図である。
【図７】吸収性衣類の側面シームを締結していない状態で示した、本発明の吸収性衣類の別の実施形態の側面立面図である。
【図８】吸収性衣類の側面シームを締結していない状態で示した、本発明の吸収性衣類の別の実施形態の側面立面図である。
【図９】吸収性衣類の側面シームが締結していない状態で、かつ吸収性組立体の１対の側面パネルが締結していない状態で、図４に示したものと類似した、吸収性組立体に組み込まれた吸収性衣類の別の実施形態の側面立面図である。
【図１０】本発明の吸収性衣類の別の実施形態の組立分解図である。
【符号の説明】
【０１１４】
１０  吸収性衣類
１９  側面シーム
２２  衣類シェル
２４  吸収性組立体
２６  前パネル組立体
２８  後パネル組立体
４２  パネル部材
６６  締結部品
７０  取り付け部材
１４６  外カバー
１４８  身体側ライナー
１５０  吸収性本体
１５２  収容フラップ
１６０  弾性部材
【図１】
2008538976.tif 000007
【図２】
2008538976.tif 000008
【図３】
2008538976.tif 000009
【図３Ａ】
2008538976.tif 000010
【図４】
2008538976.tif 000011
【図５】
2008538976.tif 000012
【図６】
2008538976.tif 000013
【図７】
2008538976.tif 000014
【図８】
2008538976.tif 000015
【図９】
2008538976.tif 000016
【図１０】
2008538976.tif 000017
【国際調査報告】
2008538976.tif 000018
2008538976.tif 000019
2008538976.tif 000020
2008538976.tif 000021
2008538976.tif 000022